Podtech/llm-jp-corpus-v4-ja_patent huggingface dataset:
【手続補正書】
【提出日】平成18年8月29日(2006.8.29)
【手続補正１】
【補正対象書類名】明細書
【補正対象項目名】特許請求の範囲
【補正方法】変更
【補正の内容】
【特許請求の範囲】
【請求項１】  楽音合成手段の機能をセットアップするセットアップデータを含むカラオケ曲の楽曲データを記憶する記憶手段と、
カラオケ曲の演奏時、読み出された楽曲データのセットアップデータで機能をセットアップしたのち、該楽曲データでカラオケ曲の演奏音を合成する楽音合成手段と、
楽音合成手段が合成した演奏音を記録する録音手段と、
録音手段に記録された演奏音を再生する再生手段と、
録音手段に演奏音が記録されているカラオケ曲の演奏が指示されたとき、前記楽音合成手段のセットアップが完了するまでの間、前記記録されている演奏音を再生手段に再生させて出力し、楽音合成手段のセットアップが完了したのち、楽音合成手段が合成した演奏音を出力するように切り換える演奏制御手段と、
を備えたことを特徴とするカラオケ装置。
【請求項２】  楽音合成手段の機能をセットアップするセットアップデータを含むカラオケ曲の楽曲データを記憶する記憶手段と、
カラオケ曲の演奏時、読み出された楽曲データのセットアップデータで機能をセットアップしたのち、該楽曲データでカラオケ曲の演奏音を合成する楽音合成手段と、
楽音合成手段が合成した演奏音を記録する録音手段と、
録音手段に記録された演奏音を再生する再生手段と、
カラオケ曲の演奏の指示がないとき、記憶手段に記憶しているカラオケ曲の楽曲データの曲名を表示するとともに、該カラオケ曲の演奏音が録音手段によって記録されているとき、この演奏音を再生手段に再生させる曲目紹介手段と、
を備えたことを特徴とするカラオケ装置。
【請求項３】  楽音合成手段の機能をセットアップするセットアップデータを含むカラオケ曲の楽曲データを記憶する記憶手段と、
カラオケ曲の演奏時、読み出された楽曲データのセットアップデータで機能をセットアップしたのち、該楽曲データでカラオケ曲の演奏音を合成する楽音合成手段と、
楽音合成手段が合成した演奏音を記録する録音手段と、
録音手段に記録された演奏音を再生する再生手段と、
該録音手段に演奏音が記録されているカラオケ曲の試聴が指示されたとき、この試聴が指示されたカラオケ曲の演奏音を再生手段に再生させる試聴手段と、
を備えたことを特徴とするカラオケ装置。
【請求項４】  楽音合成手段の機能をセットアップするセットアップデータを含むカラオケ曲の楽曲データを記憶する記憶手段と、
カラオケ曲の演奏時、読み出された楽曲データのセットアップデータで機能をセットアップしたのち、該楽曲データでカラオケ曲の演奏音を合成する楽音合成手段と、
楽音合成手段が合成した演奏音を記録する録音手段と、
録音手段に記録された演奏音を再生する再生手段と、
カラオケ曲の演奏を行う場合において、そのカラオケ曲の演奏音が録音手段に記録されているとき、この記録されている曲の演奏音を再生手段に再生させる演奏制御手段と、
を備えたことを特徴とするカラオケ装置。
【手続補正２】
【補正対象書類名】明細書
【補正対象項目名】０００６
【補正方法】変更
【補正の内容】
【０００６】
【課題を解決するための手段】
この出願の請求項１の発明は、楽音合成手段の機能をセットアップするセットアップデータを含むカラオケ曲の楽曲データを記憶する記憶手段と、カラオケ曲の演奏時、読み出された楽曲データのセットアップデータで機能をセットアップしたのち、該楽曲データでカラオケ曲の演奏音を合成する楽音合成手段と、楽音合成手段が合成した演奏音を記録する録音手段と、録音手段に記録された演奏音を再生する再生手段と、録音手段に演奏音が記録されているカラオケ曲の演奏が指示されたとき、前記楽音合成手段のセットアップが完了するまでの間、前記記録されている演奏音を再生手段に再生させて出力し、楽音合成手段のセットアップが完了したのち、楽音合成手段が合成した演奏音を出力するように切り換える演奏制御手段と、を備えたことを特徴とする。
【手続補正３】
【補正対象書類名】明細書
【補正対象項目名】０００７
【補正方法】変更
【補正の内容】
【０００７】
この出願の請求項２の発明は、楽音合成手段の機能をセットアップするセットアップデータを含むカラオケ曲の楽曲データを記憶する記憶手段と、カラオケ曲の演奏時、読み出された楽曲データのセットアップデータで機能をセットアップしたのち、該楽曲データでカラオケ曲の演奏音を合成する楽音合成手段と、楽音合成手段が合成した演奏音を記録する録音手段と、録音手段に記録された演奏音を再生する再生手段と、カラオケ曲の演奏の指示がないとき、記憶手段に記憶しているカラオケ曲の楽曲データの曲名を表示するとともに、該カラオケ曲の演奏音が録音手段によって記録されているとき、この演奏音を再生手段に再生させる曲目紹介手段と、を備えたことを特徴とする。
【手続補正４】
【補正対象書類名】明細書
【補正対象項目名】０００８
【補正方法】変更
【補正の内容】
【０００８】
この出願の請求項３の発明は、楽音合成手段の機能をセットアップするセットアップデータを含むカラオケ曲の楽曲データを記憶する記憶手段と、カラオケ曲の演奏時、読み出された楽曲データのセットアップデータで機能をセットアップしたのち、該楽曲データでカラオケ曲の演奏音を合成する楽音合成手段と、楽音合成手段が合成した演奏音を記録する録音手段と、録音手段に記録された演奏音を再生する再生手段と、該録音手段に演奏音が記録されているカラオケ曲の試聴が指示されたとき、この試聴が指示されたカラオケ曲の演奏音を再生手段に再生させる試聴手段と、を備えたことを特徴とする。
この出願の請求項４の発明は、楽音合成手段の機能をセットアップするセットアップデータを含むカラオケ曲の楽曲データを記憶する記憶手段と、カラオケ曲の演奏時、読み出された楽曲データのセットアップデータで機能をセットアップしたのち、該楽曲データでカラオケ曲の演奏音を合成する楽音合成手段と、楽音合成手段が合成した演奏音を記録する録音手段と、録音手段に記録された演奏音を再生する再生手段と、カラオケ曲の演奏を行う場合において、そのカラオケ曲の演奏音が録音手段に記録されているとき、この記録されている曲の演奏音を再生手段に再生させる演奏制御手段と、を備えたことを特徴とする。
【手続補正書】
【提出日】平成18年11月7日(2006.11.7)
【手続補正１】
【補正対象書類名】明細書
【補正対象項目名】特許請求の範囲
【補正方法】変更
【補正の内容】
【特許請求の範囲】
【請求項１】  複数の画素がマトリクス状に配置された液晶表示部を有する液晶表示装置において、
前記複数の画素を走査する走査手段と、
前記複数の画素に表示データを供給するデータ供給手段と、
前記複数の画素に設けられ、前記走査手段により走査されたときに、前記データ供給手段により供給されたデータを保持するデータ保持手段と、
前記複数の画素に設けられ、前記走査手段により走査されたときに、前記データ保持手段の保持データに基づいて液晶への電圧印加を行う電圧印加手段と、
前記表示データを前記データ供給手段により前記データ保持手段に供給するとともに、該供給され保持された表示データに基づいて前記電圧印加手段により液晶へ所定の電圧を印加することにより表示内容を更新する第１の表示モードと、前記データ保持手段に保持された表示データに基づいて前記電圧印加手段により液晶へ所定の電圧を印加することにより、前記第１の表示モードで更新された表示を保持する第２の表示モードにより前記走査手段及び前記データ供給手段を制御する表示制御手段を備え、
前記液晶表示部により１つの画面を表示するための表示フレームを、前記第１の表示モードで表示を行う第１のサブフレームと、前記第２の表示モードで表示を行う第２のサブフレームにより構成して表示を行うことを特徴とする液晶表示装置。
【請求項２】  複数の画素がマトリクス状に配置された液晶表示部を有する液晶表示装置において、
前記複数の画素を走査する走査手段と、
前記複数の画素に表示データを供給するデータ供給手段と、
前記複数の画素に設けられ、前記走査手段により走査されたときに、前記供給手段により供給されたデータを保持するデータ保持手段と、
前記複数の画素に設けられ、前記走査手段により走査されたときに、前記データ保持手段の保持データに基づいて液晶への電圧印加を行う電圧印加手段と、
前記表示データを前記データ供給手段により前記データ保持手段に供給するとともに、該供給され保持された表示データに基づいて前記電圧印加手段により液晶へ所定の電圧を印加することにより表示内容を更新する第１の表示モードと、前記データ保持手段に保持された表示データに基づいて前記電圧印加手段により液晶へ所定の電圧を印加することにより、前記第１の表示モードで更新された表示を保持する第２の表示モードにより前記走査手段及び前記データ供給手段を制御する表示制御手段を備え、
前記液晶表示部により１つの画面を表示するための表示フレームを、１つの第１のサブフレームとｎ個（ｎは０以上の整数）の第２のサブフレームにより構成し、前記液晶表示部により表示を行う表示フレームレートに応じて、前記第２のサブフレームの個数ｎを切替えて表示を行うこと特徴とする液晶表示装置。
【請求項３】  入力される画像信号を前記サブフレーム内の期間に時間軸圧縮する画像信号処理手段を備えたことを特徴とする請求項１または請求項２に記載の液晶表示装置。
【請求項４】  前記走査手段が、前記データ保持手段を走査する行方向の前記画素に共通に設けられた第１の走査線と、前記電圧印加手段を走査する行方向の前記画素に共通に設けられた第２の走査線と、前記第１及び第２の走査線を駆動する走査線駆動手段を含み、
前記データ供給手段が、列方向の前記画素に共通に設けられたデータ線と、前記データ線を駆動するデータ線駆動手段を含み、
前記表示制御手段は、前記第１の表示モードでは、前記走査線駆動手段により前記第１及び第２の走査線を走査するとともに、前記データ線駆動手段により前記データ線に表示データ供給し、前記第２の表示モードでは、前記走査線駆動手段により前記第２の走査線を走査するとともに、前記データ線駆動手段を停止するよう制御を行うことを特徴とする請求項１または請求項２に記載の液晶表示装置。
【請求項５】  前記複数の画素の３原色ドットのそれぞれが面積の異なる複数のサブドットに分割されたことを特徴とする請求項１または請求項２に記載の液晶表示装置。
【請求項６】  上記画素に印加される電圧の極性を上記サブフレーム毎に反転させることを特徴とする請求項１または請求項２に記載の液晶表示装置。
【請求項７】  請求項１乃至請求項６のいずれかに記載の液晶表示装置を備えたことを特徴とする携帯機器。
【手続補正２】
【補正対象書類名】明細書
【補正対象項目名】０００８
【補正方法】変更
【補正の内容】
【０００８】
この発明に係る液晶表示装置は、複数の画素を走査する走査手段と、複数の画素に表示データを供給するデータ供給手段と、複数の画素に設けられ、走査手段により走査されたときに、データ供給手段により供給されたデータを保持するデータ保持手段と、複数の画素に設けられ、走査手段により走査されたときに、データ保持手段の保持データに基づいて液晶への電圧印加を行う電圧印加手段と、表示データをデータ供給手段によりデータ保持手段に供給するとともに、供給され保持された表示データに基づいて電圧印加手段により液晶へ所定の電圧を印加することにより表示内容を更新する第１の表示モードと、データ保持手段に保持された表示データに基づいて電圧印加手段により液晶へ所定の電圧を印加することにより、第１の表示モードで更新された表示を保持する第２の表示モードにより走査手段及びデータ供給手段を制御する表示制御手段を備え、液晶表示部により１つの画面を表示するための表示フレームを、第１の表示モードで表示を行う第１のサブフレームと、第２の表示モードで表示を行う第２のサブフレームにより構成して表示を行うものである。
【手続補正３】
【補正対象書類名】明細書
【補正対象項目名】００１１
【補正方法】変更
【補正の内容】
【００１１】
走査手段が、データ保持手段を走査する行方向の画素に共通に設けられた第１の走査線と、電圧印加手段を走査する行方向の画素に共通に設けられた第２の走査線と、第１及び第２の走査線を駆動する走査線駆動手段を含み、データ供給手段が、列方向の画素に共通に設けられたデータ線と、データ線を駆動するデータ線駆動手段を含み、表示制御手段は、第１の表示モードでは、走査線駆動手段により第１及び第２の走査線を走査するとともに、データ線駆動手段によりデータ線に表示データ供給し、第２の表示モードでは、走査線駆動手段により第２の走査線を走査するとともに、データ線駆動手段を停止するよう制御を行うものである。
【手続補正４】
【補正対象書類名】明細書
【補正対象項目名】００１２
【補正方法】変更
【補正の内容】
【００１２】
複数の画素の３原色ドットのそれぞれを面積の異なる複数のサブドットに分割したものである。
また、画素に印加される電圧の極性をサブフレーム毎に反転させるものである。
【手続補正５】
【補正対象書類名】明細書
【補正対象項目名】００６７
【補正方法】変更
【補正の内容】
【００６７】
この発明による液晶表示装置においては、画素に印加される電圧の極性をサブフレーム毎に反転させたので、液晶表示素子の電圧の極性が分散され、サブフレームの切替りに起因する表示輝度のリップル（フリッカ）がさらに低減され、基準電圧発生回路の回路規模を小さくすることができる。
【手続補正書】
【提出日】平成18年1月30日(2006.1.30)
【手続補正１】
【補正対象書類名】明細書
【補正対象項目名】請求項１
【補正方法】変更
【補正の内容】
【請求項１】
第１の識別情報及びデータを含む電子メールを通信回線から受け取る送受信部と、該データを蓄積する蓄積部と、印刷出力部と、直接操作により入力される第２の識別情報を受け取る入力部と、該第１の識別情報と該第２の識別情報が一致する場合に該蓄積部に格納される該第１の識別情報に対応する該データを該印刷出力部に印刷させる制御部を含むことを特徴とする出力端末。
【手続補正２】
【補正対象書類名】明細書
【補正対象項目名】請求項３１
【補正方法】変更
【補正の内容】
【請求項３１】
所定のデータを含む電子メールを通信回線から受け取る送受信部と、該データを蓄積する蓄積部と、印刷出力部と、直接操作により入力される第１の識別情報を受け取る入力部と、該データに対応する第２の識別情報を生成し該送受信部から電子メールとして送信すると共に、該第１の識別情報と該第２の識別情報が一致する場合に該蓄積部に格納される該第２の識別情報に対応する該データを該印刷出力部に印刷させる制御部を含むことを特徴とする出力端末。
【手続補正３】
【補正対象書類名】明細書
【補正対象項目名】請求項３４
【補正方法】変更
【補正の内容】
【請求項３４】
該送受信部が受信した該電子メールは第３の識別情報を含み、
該入力部は該第１の識別情報に加えて更に入力される第４の識別情報を受け取り、該制御部は該第１の識別情報と該第２の識別情報が一致すると共に該第３の識別情報と該第４の識別情報が一致する場合に該蓄積部に格納される該第２の識別情報に対応する該データを該印刷出力部に印刷させることを特徴とする請求項３１記載の出力端末。
【手続補正４】
【補正対象書類名】明細書
【補正対象項目名】０００６
【補正方法】変更
【補正の内容】
【０００６】
【課題を解決するための手段】
本発明による出力端末は、第１の識別情報及びデータを含む電子メールを通信回線から受け取る送受信部と、該データを蓄積する蓄積部と、印刷出力部と、直接操作により入力される第２の識別情報を受け取る入力部と、該第１の識別情報と該第２の識別情報が一致する場合に該蓄積部に格納される該第１の識別情報に対応する該データを該印刷出力部に印刷させる制御部を含むことを特徴とする。
【手続補正５】
【補正対象書類名】明細書
【補正対象項目名】００１２
【補正方法】変更
【補正の内容】
【００１２】
本発明の更なる側面によれば、出力端末は、所定のデータを含む電子メールを通信回線から受け取る送受信部と、該データを蓄積する蓄積部と、印刷出力部と、直接操作により入力される第１の識別情報を受け取る入力部と、該データに対応する第２の識別情報を生成し該送受信部から電子メールとして送信すると共に、該第１の識別情報と該第２の識別情報が一致する場合に該蓄積部に格納される該第２の識別情報に対応する該データを該印刷出力部に印刷させる制御部を含むことを特徴とする。
【手続補正書】
【提出日】平成18年2月6日(2006.2.6)
【手続補正１】
【補正対象書類名】明細書
【補正対象項目名】発明の名称
【補正方法】変更
【補正の内容】
【発明の名称】画像処理方法及び画像処理装置、並びに、コンピュータプログラム及びコンピュータ可読記憶媒体
【手続補正２】
【補正対象書類名】明細書
【補正対象項目名】特許請求の範囲
【補正方法】変更
【補正の内容】
【特許請求の範囲】
【請求項１】
画像データを画素ブロック単位に符号化する画像処理方法であって、
画像データを第１の符号化アルゴリズムで符号化する第１の符号化工程と、
前記画像データの画素ブロック単位に前記第１の符号化工程を行うか否かを判定工程と、
該判定工程で前記第１の符号化工程で符号化すると判定した場合、前記第１の符号化工程により符号化して得られた画素ブロックの符号化データを一時的に蓄積する第１の蓄積工程と、
前記第１の符号化工程で符号化の対象となった画素ブロック内の全画素値を予め設定された値で置換える置換え工程と、
該置換え後の画素ブロック、及び、前記判定工程で第１の符号化工程で行わないと判定された画素ブロックを第２の符号化アルゴリズムで符号化する第２の符号化工程と、
前記第１の蓄積工程で蓄積された符号化データを、前記第２の符号化工程により符号化して得られた符号化データよりも、予め設定された単位だけ遅らせて出力する出力工程と
を備えることを特徴とする画像処理方法。
【請求項２】
前記第２の符号化工程は、周囲画素を参照することにより符号化を行う工程であることを特徴とする請求項１に記載の画像処理方法。
【請求項３】
前記第１の符号化工程は非可逆符号化による符号化工程であり、前記第２の符号化工程は可逆符号化による符号化工程であることを特徴とする請求項１又は２に記載の画像処理方法。
【請求項４】
前記出力工程による出力先は、印刷装置であることを特徴とする請求項１乃至３のいずれか１項に記載の画像処理方法。
【請求項５】
画像データを画素ブロック単位に符号化する画像処理装置であって、
画像データを第１の符号化アルゴリズムで符号化する第１の符号化手段と、
前記画像データの画素ブロック単位に前記第１の符号化手段を行うか否かを判定手段と、
該判定手段で前記第１の符号化手段で符号化すると判定した場合、前記第１の符号化手段により符号化して得られた画素ブロックの符号化データを一時的に蓄積する第１の蓄積手段と、
前記第１の符号化手段で符号化の対象となった画素ブロック内の全画素値を予め設定された値で置換える置換え手段と、
該置換え後の画素ブロック、及び、前記判定手段で第１の符号化手段で行わないと判定された画素ブロックを第２の符号化アルゴリズムで符号化する第２の符号化手段と、
前記第１の蓄積手段で蓄積された符号化データを、前記第２の符号化手段により符号化して得られた符号化データよりも、予め設定された単位だけ遅らせて出力する出力手段と
を備えることを特徴とする画像処理装置。
【請求項６】
コンピュータが読み込み実行することで、画像データを予め設定されたサイズの画素ブロック単位に符号化する画像処理装置として機能するコンピュータプログラムであって、
画像データを第１の符号化アルゴリズムで符号化する第１の符号化手段と、
前記画像データの画素ブロック単位に前記第１の符号化手段を行うか否かを判定手段と、
該判定手段で前記第１の符号化手段で符号化すると判定した場合、前記第１の符号化手段により符号化して得られた画素ブロックの符号化データを一時的に蓄積する第１の蓄積手段と、
前記第１の符号化手段で符号化の対象となった画素ブロック内の全画素値を予め設定された値で置換える置換え手段と、
該置換え後の画素ブロック、及び、前記判定手段で第１の符号化手段で行わないと判定された画素ブロックを第２の符号化アルゴリズムで符号化する第２の符号化手段と、
前記第１の蓄積手段で蓄積された符号化データを、前記第２の符号化手段で符号化して得られた符号化データよりも、予め設定された単位だけ遅らせて出力する出力手段
としてコンピュータに機能させることを特徴とするコンピュータプログラム。
【請求項７】
前記コンピュータプログラムはプリンタドライバの一部であることを特徴とする請求項６に記載のコンピュータプログラム。
【請求項８】
請求項６又は７に記載のコンピュータプログラムを記憶することを特徴とするコンピュータ可読記憶媒体。
【手続補正３】
【補正対象書類名】明細書
【補正対象項目名】０００７
【補正方法】変更
【補正の内容】
【０００７】
【課題を解決するための手段】
かかる課題を解決するため、例えば本発明の画像処理方法は以下の工程を備える。すなわち、
画像データを画素ブロック単位に符号化する画像処理方法であって、
画像データを第１の符号化アルゴリズムで符号化する第１の符号化工程と、
前記画像データの画素ブロック単位に前記第１の符号化工程を行うか否かを判定工程と、
該判定工程で前記第１の符号化工程で符号化すると判定した場合、前記第１の符号化工程により符号化して得られた画素ブロックの符号化データを一時的に蓄積する第１の蓄積工程と、
前記第１の符号化工程で符号化の対象となった画素ブロック内の全画素値を予め設定された値で置換える置換え工程と、
該置換え後の画素ブロック、及び、前記判定工程で第１の符号化工程で行わないと判定された画素ブロックを第２の符号化アルゴリズムで符号化する第２の符号化工程と、
前記第１の蓄積工程で蓄積された符号化データを、前記第２の符号化工程により符号化して得られた符号化データよりも、予め設定された単位だけ遅らせて出力する出力工程とを備える。
【手続補正書】
【提出日】平成18年6月8日(2006.6.8)
【手続補正１】
【補正対象書類名】明細書
【補正対象項目名】特許請求の範囲
【補正方法】変更
【補正の内容】
【特許請求の範囲】
【請求項１】  カメラで撮像した画像をやり取りする制御プロトコルを用いた無線通信により、他の無線通信機器に画像を提供する無線通信機器であって、
前記他の無線通信機器から送信される、前記制御プロトコルに従って画像を要求する画像取得要求メッセージを所定時間内に複数受信する受信手段と、
予め複数の画像を記憶する記憶手段と、
受信した前記画像取得要求メッセージに応じて、前記記憶手段が記憶する複数の画像のなかから少なくとも一枚の画像を選択し、前記所定時間が経過するまでの間、選択した前記画像に関する画像情報を出力する選択手段と、
前記選択手段が出力する前記画像情報を、前記画像取得要求メッセージに対する応答メッセージに含めて前記他の無線通信機器に送信する送信手段と
を具備する無線通信機器。
【請求項２】  前記選択手段は、前記記憶手段が記憶した画像から無作為に選択することを特徴とする請求項１に記載の無線通信機器。
【請求項３】  前記選択手段が選択した画像に関する画像情報は、該画像内容そのものの情報、該画像を加工した画像の情報又は該画像の属性情報のいずれかを含むことを特徴とする請求項１又は２に記載の無線通信機器。
【請求項４】  前記送信手段は、前記選択手段が選択した画像を送信するときに、該画像に関する画像情報と同一の画像情報を、前記他の無線通信機器から連続して送信された画像取得要求メッセージに対する応答メッセージのそれぞれに含めて送信することを特徴とする請求項１乃至３のいずれかに記載の無線通信機器。
【請求項５】  前記受信手段が受信した第１の画像取得要求メッセージの受信時刻と、該第１の画像取得要求メッセージに続く第２の画像取得要求メッセージの受信時刻との時刻差を計測する計測手段をさらに具備し、
前記選択手段は、前記計測手段により計測された前記時刻差が予め定めた閾値以上のときは、前記受信手段が前記画像取得要求メッセージを受信する都度、前記記憶手段が記憶する複数の画像のなかから少なくとも一枚の画像を選択しなおすことを特徴とする請求項４に記載の無線通信機器。
【請求項６】  前記画像取得要求メッセージが画像の識別情報を要求するものであるか否かを判定する第１の判定手段と、
前記画像取得要求メッセージが前記画像の識別情報を要求するものと前記第１の判定手段が判定した場合に、該画像を前記選択手段により選択済みであるか否かを判定する第２の判定手段と、をさらに具備し、
前記画像を前記選択手段により選択済みであると前記第２の判定手段が判定した場合に、前記送信手段は前記選択済みの画像の識別情報を前記画像取得要求メッセージに対する応答メッセージに含めて送信することを特徴とする請求項２乃至５のいずれかに記載の無線通信機器。
【請求項７】  前記制御プロトコルは、ブルートゥースの通信規格に規定されたプロファイルに従うプロトコルであることを特徴とする請求項１乃至６のいずれかに記載の無線通信機器。
【請求項８】  カメラで撮像した画像をやり取りする制御プロトコルを用いた無線通信により、他の無線通信機器に画像を提供する画像提供方法であって、
前記他の無線通信機器から送信される、前記制御プロトコルに従って画像を要求する画像取得要求メッセージを所定時間内に複数受信する受信ステップと、
予め複数の画像を記憶手段に記憶する記憶ステップと、
受信した前記画像取得要求メッセージに応じて、前記記憶手段が記憶する複数の画像のなかから少なくとも一枚の画像を選択し、前記所定時間が経過するまでの間、選択した前記画像に関する画像情報を出力する選択ステップと、
前記選択ステップが出力する前記画像情報を、前記画像取得要求メッセージに対する応答メッセージに含めて前記他の無線通信機器に送信する送信ステップと
を具備する画像提供方法。
【請求項９】  前記選択ステップにおいて前記記憶手段に記憶した画像から無作為に選択することを特徴とする請求項８に記載の画像提供方法。
【請求項１０】  前記選択ステップにおいて選択した画像に関する画像情報は、該画像内容そのものの情報、該画像を加工した画像の情報又は該画像の属性情報のいずれかを含むことを特徴とする請求項８又は９に記載の画像提供方法。
【請求項１１】  前記送信ステップにおいて前記選択ステップが選択した画像を送信するときに、該画像に関する画像情報と同一の画像情報を、前記他の無線通信機器から連続して送信された画像取得要求メッセージに対する応答メッセージのそれぞれに含めて送信することを特徴とする請求項８乃至１０のいずれかに記載の画像提供方法。
【請求項１２】  前記受信ステップで受信した第１の画像取得要求メッセージの受信時刻と、該第１の画像取得要求メッセージに続く第２の画像取得要求メッセージの受信時刻との時刻差を計測する計測ステップをさらに具備し、
前記計測ステップにより計測された前記時刻差が予め定めた閾値以上のときは、前記受信手段が前記画像取得要求メッセージを受信する都度、前記記憶手段が記憶する複数の画像のなかから少なくとも一枚の画像を選択しなおすことを特徴とする請求項１１に記載の画像提供方法。
【請求項１３】  前記画像取得要求メッセージが画像の識別情報を要求するものであるか否かを判定する第１の判定ステップと、
前記画像取得要求メッセージが前記画像の識別情報を要求するものと前記第１の判定ステップが判定した場合に、該画像を前記選択ステップにより選択済みであるか否かを判定する第２の判定ステップと、をさらに具備し、
前記画像を前記選択ステップにより選択済みであると前記第２の判定ステップが判定した場合に、前記送信ステップは前記選択済みの画像の識別情報を前記画像取得要求メッセージに対する応答メッセージに含めて送信することを特徴とする請求項９乃至１２のいずれかに記載の画像提供方法。
【請求項１４】  前記制御プロトコルは、ブルートゥースの通信規格に規定されたプロファイルに従うプロトコルであることを特徴とする請求項８乃至１３のいずれかに記載の画像提供方法。
【手続補正書】
【提出日】平成18年2月6日(2006.2.6)
【手続補正１】
【補正対象書類名】明細書
【補正対象項目名】発明の名称
【補正方法】変更
【補正の内容】
【発明の名称】画像処理方法及び画像処理装置、並びに、コンピュータプログラム及びコンピュータ可読記憶媒体
【手続補正２】
【補正対象書類名】明細書
【補正対象項目名】特許請求の範囲
【補正方法】変更
【補正の内容】
【特許請求の範囲】
【請求項１】
画像データを圧縮符号化し、カラー印刷手段に出力する画像処理方法であって、
画像データを可逆圧縮符号化する第１の符号化工程と、
画像データを非可逆圧縮符号化する第２の符号化工程と、
印刷すべき画像データから予め設定されたサイズの画素ブロック単位に、当該画素ブロックが前記第１、第２の符号化工程のいずれを用いるかを判定する判定工程と、
該判定工程での判定結果の情報と、前記第１、第２の符号化工程で得られた符号化データを前記カラー印刷手段に出力する工程とを備え、
前記判定工程は、注目画素ブロックが前記カラー印刷手段が有する単色記録材で記録すべき色情報を所有しているか否かを判断する工程を含み、単色記録材で記録すべき画素ブロックであると判断した場合には前記第１の符号化工程で符号化すると判定することを特徴とする画像処理方法。
【請求項２】
前記判定工程は、更に、
前記注目画素ブロックの各輝度色成分毎に、画素ブロックのヒストグラムを作成し、
ヒストグラムでの度数のある輝度値が２箇所以下であるか、
前記ヒストグラムにおける度数のある輝度値の最大輝度、最低輝度との差が第１の予め設定された値以上であるか、
前記ヒストグラムにおける度数の在る２つの輝度との間の輝度差が第２の予め設定された値以上あるか、
前記ヒストグラムにおける予め設定された輝度以上の度数が第３の閾値以上であるか、
前記ヒストグラムにおける予め設定された輝度以下の度数が第４の閾値以上であるか、
画素ブロックの行方向の輝度合計値が、各行で同じであるか、
画素ブロックの列方向の輝度合計値が、各列で同じであるか
の条件判定を行ない、各色成分毎に上記条件判定の１つでも満足する場合、注目画素ブロックを前記第２の符号化工程で符号化するとして判定し、
前記注目画素ブロックが前記カラー印刷手段有する単色記録材で記録すべき色情報を所有しているか否かの判定は、前記条件判定で第２の符号化工程で符号化する対象として決定できなかった場合に行うことを特徴とする請求項１に記載の画像処理方法。
【請求項３】
前記第１の符号化工程はＪＰＥＧ符号化工程、前記第２の符号化工程はランレングス符号化工程であることを特徴とする請求項１又は２の何れか１項に記載の画像処理方法。
【請求項４】
前記第１の符号化工程におけるＪＰＥＧ符号化工程で用いる直交変換には、ＤＣＴ変換工程と、ＷＨＴ変換工程が含まれることを特徴とする請求項３に記載の画像処理方法。
【請求項５】
前記ＤＣＴ変換工程、ＷＨＴ変換工程の選択は、前記カラー印刷手段の処理能力によって決定することを特徴とする請求項４に記載の画像処理方法。
【請求項６】
前記ＤＣＴ変換工程、ＷＨＴ変換工程の選択は、画像データを圧縮符号化する側の処理能力によって決定することを特徴とする請求項４に記載の画像処理方法。
【請求項７】
前記ＤＣＴ変換工程、ＷＨＴ変換工程の選択は、印刷プロセス条件にしたがって決定することを特徴とする請求項４に記載の画像処理方法。
【請求項８】
前記プロセス条件は、前記カラー印刷手段の記録ヘッドの往復運動回数であることを特徴とする請求項７に記載の画像処理方法。
【請求項９】
前記プロセス条件は、色変換の演算方法であることを特徴とする請求項７に記載の画像処理方法。
【請求項１０】
画像データを圧縮符号化し、カラー印刷手段に出力する画像処理装置であって、
画像データを可逆圧縮符号化する第１の符号化手段と、
画像データを非可逆圧縮符号化する第２の符号化手段と、
印刷すべき画像データから予め設定されたサイズの画素ブロック単位に、当該画素ブロックが前記第１、第２の符号化手段のいずれを用いるかを判定する判定手段と、
該判定手段での判定結果の情報と、前記第１、第２の符号化手段で得られた符号化データを前記カラー印刷手段に出力する手段とを備え、
前記判定手段は、注目画素ブロックが前記カラー印刷手段が有する単色記録材で記録すべき色情報を所有しているか否かを判断する手段を含み、単色記録材で記録すべき画素ブロックであると判断した場合には前記第１の符号化手段で符号化すると判定することを特徴とする画像処理装置。
【請求項１１】
コンピュータが読み込み実行することで、画像データを圧縮符号化し、カラー印刷手段に出力する画像処理装置として機能するコンピュータプログラムであって、
画像データを可逆圧縮符号化する第１の符号化手段と、
画像データを非可逆逆圧縮符号化する第２の符号化手段と、
印刷すべき画像データから予め設定されたサイズの画素ブロック単位に、当該画素ブロックが前記第１、第２の符号化手段のいずれを用いるかを判定する判定手段と、
該判定手段での判定結果の情報と、前記第１、第２の符号化手段で得られた符号化データを前記カラー印刷手段に出力する手段とを備え、
前記判定手段は、注目画素ブロックが前記カラー印刷手段が有する単色記録材で記録すべき色情報を所有しているか否かを判断する手段を含み、単色記録材で記録すべき画素ブロックであると判断した場合には前記第１の符号化手段で符号化すると判定する
として機能することを特徴とするコンピュータプログラム。
【請求項１２】
請求項１１に記載のコンピュータプログラムは、プリンタードライバの一部として実装されることを特徴とするコンピュータプログラム。
【請求項１３】
請求項１１又は１２に記載のコンピュータプログラムを格納することを特徴とするコンピュータ可読記憶媒体。
【手続補正３】
【補正対象書類名】明細書
【補正対象項目名】００２０
【補正方法】変更
【補正の内容】
【００２０】
【課題を解決するための手段】
かかる課題を解決するため、例えば本発明の画像処理方法は以下の工程をそなえる。すなわち、
画像データを圧縮符号化し、カラー印刷手段に出力する画像処理方法であって、
画像データを可逆圧縮符号化する第１の符号化工程と、
画像データを非可逆圧縮符号化する第２の符号化工程と、
印刷すべき画像データから予め設定されたサイズの画素ブロック単位に、当該画素ブロックが前記第１、第２の符号化工程のいずれを用いるかを判定する判定工程と、
該判定工程での判定結果の情報と、前記第１、第２の符号化工程で得られた符号化データを前記カラー印刷手段に出力する工程とを備え、
前記判定工程は、注目画素ブロックが前記カラー印刷手段が有する単色記録材で記録すべき色情報を所有しているか否かを判断する工程を含み、単色記録材で記録すべき画素ブロックであると判断した場合には前記第１の符号化工程で符号化すると判定することを特徴とする。
【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】画像処理装置、画像処理方法、カラーデジタル複写機、およびカラー画像形成装置
【手続補正２】
【補正対象書類名】明細書
【補正対象項目名】請求項４
【補正方法】変更
【補正の内容】
【請求項４】  前記復号化手段は、
前記符号記憶手段に記憶された符号データから前記リスタートマーカーを検出して、ブロックラインの終端を検出するブロックライン終端検出手段と、
前記符号記憶手段に記憶された符号データのブロックラインの先頭のメモリアドレスを記憶する先頭メモリアドレス記憶手段と、
を含むことを特徴とする請求項３に記載の画像処理装置。
【手続補正３】
【補正対象書類名】明細書
【補正対象項目名】請求項８
【補正方法】変更
【補正の内容】
【請求項８】  請求項１〜請求項６のいずれか１つに記載の画像処理装置を適用したことを特徴とするカラー画像形成装置。
【手続補正４】
【補正対象書類名】明細書
【補正対象項目名】請求項１２
【補正方法】変更
【補正の内容】
【請求項１２】  前記復号化工程は、
前記メモリに記憶された符号データから前記リスタートマーカーを検出して、ブロックラインの終端を検出するブロックライン終端検出工程と、
前記メモリに記憶された符号データのブロックラインの先頭のメモリアドレスを記憶する先頭メモリアドレス記憶工程と、
を含むことを特徴とする請求項１１に記載の画像処理方法。
【手続補正５】
【補正対象書類名】明細書
【補正対象項目名】０００１
【補正方法】変更
【補正の内容】
【０００１】
【発明の属する技術分野】
本発明は、画像処理装置、画像処理方法、カラーデジタル複写機、およびカラー画像形成装置に関し、詳細には、画像データを符号化して一旦メモリに格納した後、復号化する画像処理装置、画像処理方法、カラーデジタル複写機、およびカラー画像形成装置に関する。
【手続補正６】
【補正対象書類名】明細書
【補正対象項目名】０００９
【補正方法】変更
【補正の内容】
【０００９】
【発明が解決しようとする課題】
本発明は、上記に鑑みてなされたものであり、復号化した画像データを格納するためのラインメモリを小容量化して、ハードウエア構成を小規模かつ安価にすることが可能な画像処理装置、画像処理方法、カラーデジタル複写機、およびカラー画像形成装置を提供することを目的とする。
【手続補正７】
【補正対象書類名】明細書
【補正対象項目名】００２２
【補正方法】変更
【補正の内容】
【００２２】
また、請求項８にかかる発明は、請求項１〜請求項６のいずれか１つに記載の画像処理装置をカラー画像形成装置に適用したことを特徴とする。
【手続補正８】
【補正対象書類名】明細書
【補正対象項目名】００２９
【補正方法】変更
【補正の内容】
【００２９】
また、請求項１２にかかる発明は、請求項１１にかかる発明において、前記復号化工程は、前記メモリに記憶された符号データから前記リスタートマーカーを検出して、ブロックラインの終端を検出するブロックライン終端検出工程と、前記メモリに記憶された符号データのブロックラインの先頭のメモリアドレスを記憶する先頭メモリアドレス記憶工程と、を含むことを特徴とする。
【手続補正９】
【補正対象書類名】明細書
【補正対象項目名】００３４
【補正方法】変更
【補正の内容】
【００３４】
【発明の実施の形態】
以下、図面を参照して、本発明にかかる画像処理装置、画像処理方法、およびカラーデジタル複写機、およびカラー画像形成装置の好適な実施の形態を、（実施の形態１）、（実施の形態２）、（実施の形態３）の順に詳細に説明する。
【手続補正１０】
【補正対象書類名】明細書
【補正対象項目名】０２０３
【補正方法】変更
【補正の内容】
【０２０３】
また、請求項８にかかるカラー画像形成装置によれば、請求項１〜請求項６のいずれか１つに記載の画像処理装置を適用することとしたので、カラー画像形成装置において、復号化した画像データを格納するためのラインメモリを小容量化して、ハードウエア構成を小規模かつ安価にすることが可能となる。
【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】  入力画像から予め定められた領域の画素を抽出する抽出工程と、
前記抽出工程で抽出された画素の着目画素が平坦領域に存在するか否かを検出する検出工程と、
前記検出工程で前記着目画素が平坦領域に存在すると検出された場合に、前記着目画素にノイズを付加するノイズ付加工程とを有することを特徴とする画像処理方法。
【請求項２】  入力画像から予め定められた領域の画素を抽出する抽出工程と、
前記抽出工程で抽出された画素に対して平滑化を行う平滑化工程と、
前記平滑化工程で平滑化された画素の着目画素にノイズを付加するノイズ付加工程とを有することを特徴とする画像処理方法。
【請求項３】  入力画像から予め定められた領域の画素を抽出する抽出工程と、
前記抽出工程で抽出された画素に対して平滑化を行う平滑化工程と、
前記平滑化工程で平滑化された画素の着目画素が平坦領域に存在するか否かを検出する検出工程と、
前記検出工程で前記着目画素が平坦領域に存在すると検出された場合に、前記平滑化された画素の着目画素にノイズを付加するノイズ付加工程とを有することを特徴とする画像処理方法。
【請求項４】  前記入力画像の着目画素の値と前記平滑化された画素の着目画素の値との差分値を生成する工程と、
前記差分値が閾値未満の場合に、前記平滑化された着目画素に前記ノイズを付加した画素を出力する工程とを更に有することを特徴とする請求項３記載の画像処理方法。
【請求項５】  前記ノイズは、最大振幅が制限されていることを特徴とする請求項１乃至請求項３の何れか一項記載の画像処理方法。
【請求項６】  前記最大振幅は、前記入力画像の各色信号、輝度信号、色差信号で個別に設定されることを特徴とする請求項５記載の画像処理方法。
【請求項７】  更に、画像記録用処理を施す工程を有することを特徴とする請求項１乃至請求項３の何れか一項記載の画像処理方法。
【請求項８】  前記画像記録用処理に入力画像のレンジの伸縮処理が含まれる場合、前記ノイズの最大振幅を、そのレンジの伸縮率に応じて調整することを特徴とする請求項７記載の画像処理方法。
【請求項９】  前記ノイズは、高周波ノイズであることを特徴とする請求項１乃至請求項３記載の画像処理方法。
【請求項１０】  前記ノイズは、ランダムノイズであることを特徴とする請求項１乃至請求項３記載の画像処理方法。
【請求項１１】  前記ノイズは、ホワイトノイズであることを特徴とする請求項１乃至請求項３記載の画像処理方法。
【請求項１２】  前記ノイズは、ブルーノイズであることを特徴とする請求項１乃至請求項３記載の画像処理方法。
【請求項１３】  入力画像から予め定められた領域の画素を抽出する抽出手段と、
前記抽出手段で抽出された画素の着目画素が平坦領域に存在するか否かを検出する検出手段と、
前記検出手段で前記着目画素が平坦領域に存在すると検出された場合に、前記着目画素にノイズを付加するノイズ付加手段とを有することを特徴とする画像処理装置。
【請求項１４】  入力画像から予め定められた領域の画素を抽出する抽出手段と、
前記抽出手段で抽出された画素に対して平滑化を行う平滑化手段と、
前記平滑化手段で平滑化された画素の着目画素にノイズを付加するノイズ付加手段とを有することを特徴とする画像処理装置。
【請求項１５】  入力画像から予め定められた領域の画素を抽出する抽出手段と、
前記抽出手段で抽出された画素に対して平滑化を行う平滑化手段と、
前記平滑化手段で平滑化された画素の着目画素が平坦領域に存在するか否かを検出する検出手段と、
前記検出手段で前記着目画素が平坦領域に存在すると検出された場合に、前記平滑化された画素の着目画素にノイズを付加するノイズ付加手段とを有することを特徴とする画像処理装置。
【請求項１６】  コンピュータに請求項１乃至請求項３の何れか一項記載の画像処理方法を実行させるためのプログラム。
【請求項１７】  請求項１６記載のプログラムを記録したコンピュータ読み取り可能な記録媒体。
【手続補正２】
【補正対象書類名】明細書
【補正対象項目名】０００８
【補正方法】変更
【補正の内容】
【０００８】
【課題を解決するための手段】
上記目的を達成するために、本発明の画像処理方法は、入力画像から予め定められた領域の画素を抽出する抽出工程と、前記抽出工程で抽出された画素の着目画素が平坦領域に存在するか否かを検出する検出工程と、前記検出工程で前記着目画素が平坦領域に存在すると検出された場合に、前記着目画素にノイズを付加するノイズ付加工程とを有することを特徴とする。
【手続補正３】
【補正対象書類名】明細書
【補正対象項目名】０００９
【補正方法】変更
【補正の内容】
【０００９】
また、本発明の画像処理方法は、入力画像から予め定められた領域の画素を抽出する抽出工程と、前記抽出工程で抽出された画素に対して平滑化を行う平滑化工程と、前記平滑化工程で平滑化された画素の着目画素にノイズを付加するノイズ付加工程とを有することを特徴とする。
【手続補正４】
【補正対象書類名】明細書
【補正対象項目名】００１０
【補正方法】変更
【補正の内容】
【００１０】
また、本発明の画像処理方法は、入力画像から予め定められた領域の画素を抽出する抽出工程と、前記抽出工程で抽出された画素に対して平滑化を行う平滑化工程と、前記平滑化工程で平滑化された画素の着目画素が平坦領域に存在するか否かを検出する検出工程と、前記検出工程で前記着目画素が平坦領域に存在すると検出された場合に、前記平滑化された画素の着目画素にノイズを付加するノイズ付加工程とを有することを特徴とする。
【手続補正５】
【補正対象書類名】明細書
【補正対象項目名】００１１
【補正方法】変更
【補正の内容】
【００１１】
更に、本発明の画像処理装置は、入力画像から予め定められた領域の画素を抽出する抽出手段と、前記抽出手段で抽出された画素の着目画素が平坦領域に存在するか否かを検出する検出手段と、前記検出手段で前記着目画素が平坦領域に存在すると検出された場合に、前記着目画素にノイズを付加するノイズ付加手段とを有することを特徴とする。
【手続補正６】
【補正対象書類名】明細書
【補正対象項目名】００１２
【補正方法】変更
【補正の内容】
【００１２】
更に、本発明の画像処理装置は、入力画像から予め定められた領域の画素を抽出する抽出手段と、前記抽出手段で抽出された画素に対して平滑化を行う平滑化手段と、前記平滑化手段で平滑化された画素の着目画素にノイズを付加するノイズ付加手段とを有することを特徴とする。
【手続補正７】
【補正対象書類名】明細書
【補正対象項目名】００１３
【補正方法】変更
【補正の内容】
【００１３】
更に、本発明の画像処理装置は、入力画像から予め定められた領域の画素を抽出する抽出手段と、前記抽出手段で抽出された画素に対して平滑化を行う平滑化手段と、前記平滑化手段で平滑化された画素の着目画素が平坦領域に存在するか否かを検出する検出手段と、前記検出手段で前記着目画素が平坦領域に存在すると検出された場合に、前記平滑化された画素の着目画素にノイズを付加するノイズ付加手段とを有することを特徴とする。
【手続補正書】
【提出日】平成18年3月28日(2006.3.28)
【手続補正１】
【補正対象書類名】明細書
【補正対象項目名】０００８
【補正方法】変更
【補正の内容】
【０００８】
請求項２に係る発明は、請求項１記載のスイッチング電源において、前記通信手段は、前記トランスの一次巻線とスイッチング素子間に接続されるカップリング素子を有することを特長とする。
請求項２に係るスイッチング電源によれば、トランスによって外部機器としての電源を得ることができるばかりでなく、カップリング素子によって通信手段を得ることができ、またスイッチング素子がオン状態にあるとき、通信を確実に行うことができる。
【手続補正２】
【補正対象書類名】明細書
【補正対象項目名】００２０
【補正方法】変更
【補正の内容】
【００２０】
また、より、安全且つ確実に通信データを送受させるため、例えばスクランブル回路２５と変復調回路２３との間に、対応するパソコン同士のみの通信を的確に行えるようにするため、暗号／復号回路２２を接続することが好ましい。更には図示していないが、電力線通信が狭帯域通信の場合においては、搬送波（キャリア）周波数の使用状況又はその周波数での送信可否を判定するためキャリアセンス機能をもつ回路、また、受信信号のビットエラーレート（ＢＥＲ）、若しくはフレームエラーレート（ＦＥＲ）の監視機能を持たせるようにし、その状況により送信可否を判定する回路を、また、電力線通信が広帯域通信の場合においては、受信信号のビットエラーレート（ＢＥＲ）、若しくはフレームエラーレート（ＦＥＲ）の監視機能を持たせるようにし、その状況により送信可否を判定する回路を付加すれば、より良好な通信ができることは勿論である。このような通信手段２０は、図１に示すように、高周波回路２１は、トランス１２の二次巻線とＦＥＴ１３のゲート間に接続された制御回路２６の指令により、所定周波数の高周波を発振させるシンセサイザー２７に基づいて作動する。
【手続補正３】
【補正対象書類名】明細書
【補正対象項目名】００３５
【補正方法】変更
【補正の内容】
【００３５】
【発明の効果】
以上説明したように、本発明によれば、電力線に接続されている一方のスイッチング電源側の外部機器からの通信信号が、電力線に接続されている他方のスイッチング電源に送信されると、該スイッチング電源側の通信手段を介して外部機器に受信できるように構成したので、一方のスイッチング電源側の外部機器と他方のスイッチング電源側の外部機器と通信を行うことができ、従って、外部機器としての電源を得ることができるばかりでなく、スイッチング素子がオン状態にあるとき、通信を確実に行うことができる効果がある。
また、電力線を通信回線として使用することから、今まで電力線とは別に必要であった通信用回線が不要となる。
本発明の外部機器に対する信号の送受信を行う機能を付加したスイッチング電源は、電力線を使った単独の通信機器を別途使う場合よりも，通常電源内に搭載される避雷保護回路や安全装置を兼用できることや、電力変換トランスをカップリング素子として用いることもでき、且つ本発明の第２の実施例で示したように、電源出力のＯＮ／ＯＦＦあるいは電圧調整機能を簡単に折り込める等の利点を有する。
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
他の通信装置から受信したＩＰパケットのＴＴＬ（Ｔｉｍｅ  Ｔｏ  Ｌｉｖｅ）を取得する取得手段と、
取得した前記ＴＴＬが、所定値以下であるか否か判定する判定手段と、
前記判定の結果が肯定的である場合に、前記他の通信装置との間でコンテンツの送信又は受信を行う通信手段と
を備えることを特徴とする通信装置。
【請求項２】
前記通信装置は、更に、
他の通信装置へ送信するＩＰパケットのＴＴＬを、あらかじめ定められた所定の値に設定する設定手段を備える
ことを特徴とする請求項１記載の通信装置。
【請求項３】
前記通信装置は、更に、
前記他の通信装置と鍵情報を共有する鍵共有手段を備える
ことを特徴とする請求項１に記載の通信装置。
【請求項４】
前記通信装置は、更に、
前記鍵共有手段により前記他の通信装置と共有した前記鍵情報を用いて、前記コンテンツの暗号化処理及び暗号化された前記コンテンツの復号処理を行う暗号処理手段を備え、
前記通信手段は、前記他の通信装置との間で、暗号化された前記コンテンツの送信又は受信を行う
ことを特徴とする請求項３に記載の通信装置。
【請求項５】
前記通信装置は、更に、
無効化された通信装置を識別可能な無効化情報を、ネットワークを介して取得する無効化情報取得手段と、
取得した前記無効化情報を記憶する記憶手段と
を備えることを特徴とする請求項１記載の通信装置。
【請求項６】
前記通信装置は、更に、
前記取得した無効化情報と、前記記憶手段に記憶している無効化情報とを比較する比較手段と、
前記比較の結果が同一でない場合には、前記記憶手段に記憶している無効化情報を、前記取得した無効化情報に更新する更新手段と
を備えることを特徴とする請求項５記載の通信装置。
【請求項７】
前記暗号処理手段が用いる暗号は、ＡＥＳ（Ａｄｖａｎｃｅｄ  Ｅｎｃｒｙｐｔｉｏｎ  Ｓｔａｎｄａｒｄ）であることを特徴とする請求項４記載の通信装置。
【請求項８】
送信装置から受信装置へ、コンテンツを送信するコンテンツ配信システムであって、
前記送信装置は、
他の通信装置から受信したＩＰパケットのＴＴＬ（Ｔｉｍｅ  Ｔｏ  Ｌｉｖｅ）を取得する取得手段と、
取得した前記ＴＴＬが、所定値以下であるか否か判定する判定手段と、
前記判定の結果が肯定的である場合に、前記受信装置にコンテンツを送信する送信手段とを備え、
前記受信装置は、前記送信装置から送信される前記コンテンツを受信する
ことを特徴とするコンテンツ配信システム。
【請求項９】
通信装置で用いられるコンテンツ配信方法であって、
他の通信装置から受信したＩＰパケットのＴＴＬ（Ｔｉｍｅ  Ｔｏ  Ｌｉｖｅ）を取得する取得ステップと、
取得した前記ＴＴＬが、所定値以下であるか否か判定する判定ステップと、
前記判定の結果が肯定的である場合に、前記他の通信装置との間でコンテンツの送信又は受信を行う通信ステップと
を含むことを特徴とするコンテンツ配信方法。
【請求項１０】
通信装置で用いられるコンテンツ配信プログラムであって、
他の通信装置から受信したＩＰパケットのＴＴＬ（Ｔｉｍｅ  Ｔｏ  Ｌｉｖｅ）を取得する取得ステップと、
取得した前記ＴＴＬが、所定値以下であるか否か判定する判定ステップと、
前記判定の結果が肯定的である場合に、前記他の通信装置との間でコンテンツの送信又は受信を行う通信ステップと
を含むことを特徴とするコンテンツ配信プログラム。
【請求項１１】
通信装置で用いられるコンテンツ配信プログラムを実行するＬＳＩであって、
前記コンテンツ配信プログラムは、
他の通信装置から受信したＩＰパケットのＴＴＬ（Ｔｉｍｅ  Ｔｏ  Ｌｉｖｅ）を取得する取得ステップと、
取得した前記ＴＴＬが、所定値以下であるか否か判定する判定ステップと、
前記判定の結果が肯定的である場合に、前記他の通信装置との間でコンテンツの送信又は受信を行う通信ステップと
を含むことを特徴とするＬＳＩ。